(57)【特許請求の範囲】
【請求項１】
壁体と梁と天井板とを備えており、上記梁が耐火材によって被覆される耐火天井構造において、上記天井板を取り付けるための取付構造部が、上記壁体の上端面部で支持されており、
上記取付構造部は、天井板が固定される天井下地材と、この天井下地材に連結され、当該天井下地材を上記壁体の上端面部に固定する天井下地固定部材と、上記天井板の縁に設けられる天井見切と、を有しており、
且つ、上記取付構造部は、上記天井見切を受けるとともに上記天井下地材に固定される天井見切受け部材を備えており、上記天井見切受け部材には、上記壁体の壁面材の上面から当該壁体の内部側に垂下する垂下片が形成されていることを特徴とする耐火天井構造。
【請求項２】
請求項１に記載の耐火天井構造において、上記壁体は、金属フレームに壁面材を設けてなり、上記取付構造部が上記金属フレームで支持されていることを特徴とする耐火天井構造。
【請求項３】
壁体と梁と天井板とを備えており、上記梁が耐火材によって被覆される耐火天井構造において、上記天井板を取り付けるための取付構造部が、上記壁体に形成されている通気層に挿入されて係止される係止部によって上記壁体の上端面部で支持されていることを特徴とする耐火天井構造。
【請求項４】
請求項１〜請求項３のいずれか１項に記載の耐火天井構造において、上記梁の直下に上記壁体が設けられており、上記梁と上記壁体の上部との間に空間部が形成されていることを特徴とする耐火天井構造。
【発明の詳細な説明】
【技術分野】
【０００１】
この発明は、耐火材が建物の天井裏の梁に被覆される耐火天井構造に関する。
【背景技術】
【０００２】
特許文献１には、鉄骨梁に耐火被覆材を設けるとともに、下フランジに下地支持具を取り付け、この下地支持具によって天井下地材を支持する耐火天井構造が開示されている。
【先行技術文献】
【特許文献】
【０００３】
【特許文献１】特開昭６３−１３４７３７号公報
【発明の概要】
【発明が解決しようとする課題】
【０００４】
しかしながら、上記従来の耐火天井構造では、天井下地材を支持する下地支持具が鉄骨梁で支持されるため、この鉄骨梁の耐火被覆に欠損が生じがちとなり、建物の耐火性能が低下するおそれがあった。
【０００５】
この発明は、上記の事情に鑑み、梁の耐火被覆に欠損が生じ難い耐火天井構造を提供する。
【課題を解決するための手段】
【０００６】
この発明の耐火天井構造は、上記の課題を解決するために、壁体と梁と天井板とを備えており、上記梁が耐火材によって被覆される耐火天井構造において、上記天井板を取り付けるための取付構造部が、上記壁体の上端面部で支持されていることを特徴とする。
【０００７】
上記の構成であれば、上記天井板を取り付けるための取付構造部が上記壁体で支持されるため、梁を用いた支持が不要であり、梁の耐火被覆に欠損を生じ難くすることができる。また、上記取付構造部が上記壁体の上端面部で支持されるので、上記壁体の上端よりも上方に上記天井板を位置させることが容易になり、より高い天井を実現することができる。
【０００８】
上記取付構造部は、天井板が固定される天井下地材と、この天井下地材に連結され、当該天井下地材を上記壁体の上端面部に固定する天井下地固定部材と、上記天井板の縁に設けられる天井見切と、からなっていてもよい。
【０００９】
上記取付構造部は、上記天井見切を受けるとともに上記天井下地材に固定される天井見切受け部材を備えており、上記天井見切受け部材には、上記壁体の壁面材の上面から当該壁体の内部側に垂下する垂下片が形成されていてもよい。これによれば、上記天井見切を上記壁体の壁面材で受けない構造とすることができる。また、上記壁体の内部の部材を上記垂下片によって押さえること等が可能になる。
【００１０】
また、この発明の耐火天井構造は、壁体と梁と天井板とを備えており、上記梁が耐火材によって被覆される耐火天井構造において、上記天井板を取り付けるための取付構造部が、上記壁体の上部の側面部の壁面材の無い部位で支持されていることを特徴とする。
【００１１】
上記の構成であれば、上記天井板を取り付けるための取付構造部が上記壁体で支持されるため、梁を用いた支持が不要であり、梁の耐火被覆に欠損を生じ難くすることができる。また、上記の上部の壁面材の無い側面部で上記取付構造部が支持されるので、上記壁面材自体に上記天井板の支持荷重が加わるのを極力低減できることになる。
【００１２】
上記壁体は、金属フレームに壁面材を設けてなり、上記取付構造部が上記金属フレームで支持されていてもよい。これによれば、上記取付構造部を壁面材で支持するよりも、より頑丈に上記金属フレームによって天井板を支持することができる。
【００１３】
また、この発明の耐火天井構造は、壁体と梁と天井板とを備えており、上記梁が耐火材によって被覆される耐火天井構造において、上記天井板を取り付けるための取付構造部が、上記壁体に形成されている通気層に挿入されて係止される係止部によって上記壁体の上端面部で支持されていることを特徴とする。
【００１４】
上記の構成であれば、上記天井板を取り付けるための取付構造部が上記壁体で支持されるため、梁を用いた支持が不要であり、梁の耐火被覆に欠損を生じ難くすることができる。また、上記係止部を上記通気層に挿入することで上記取付構造部の装着が可能になるので、施工性を向上することができる。また、上記取付構造部が上記壁体の上端面部で支持されるので、上記壁体の上端よりも上方に上記天井板を位置させることが容易になり、より高い天井を実現することができる。
【００１５】
上記梁の直下に上記壁体が設けられており、上記梁と上記壁体の上部との間に空間部が形成されていてもよい。これによれば、上記空間部を利用して上記取付構造部が設けられる構造とすることができる。
【発明の効果】
【００１６】
本発明であれば、天井裏の梁の耐火被覆に欠損を生じ難くできるという効果を奏する。
【図面の簡単な説明】
【００１７】
【図１】本発明の実施形態に係る耐火天井構造を示した説明図である。
【図２】図１の耐火天井構造で用いられている天井下地固定材を示した図であって、同図（Ａ）は側面図、同（Ｂ）は同図（Ａ）のＡ矢視の図、同（Ｃ）は同図（Ａ）の時計回り９０度回転状態の側面図、同（Ｄ）は同図（Ｃ）のＡ矢視の図である。
【図３】図１の耐火天井構造で用いられている天井見切受け部材を示した図であって、同図（Ａ）は側面図、同（Ｂ）は同図（Ａ）のＡ矢視の図、同（Ｃ）は同図（Ａ）の時計回り９０度回転状態の側面図、同（Ｄ）は同図（Ｃ）のＡ矢視の図、同図（Ｅ）は同図（Ａ）の拡大図である。
【図４】本発明の他の実施形態に係る耐火天井構造を示した説明図である。
【図５】図４の耐火天井構造で用いられている天井下地固定材を示した図であって、同図（Ａ）は平面図、同（Ｂ）は側面図同（Ｃ）は正面図である。
【図６】本発明の他の実施形態に係る耐火天井構造を示した説明図である。
【図７】図６の耐火天井構造で用いられている天井下地固定材を拡大して示した側面図である。
【発明を実施するための形態】
【００１８】
以下、この発明の実施の形態を添付図面に基づいて説明する。
図１に示すように、この実施形態にかかる耐火天井構造は、壁体１と鉄骨梁２と天井板（軒天板）３とを備えており、上記鉄骨梁２が耐火材４によって被覆されている。上記耐火材４は、例えば、耐熱ロックウールからなる柔軟性を有する巻き付け可能な耐火被覆材からなる。
【００１９】
上記壁体１は、例えば、外壁１１と玄関ポーチ壁１２とからなる。上記外壁１１と上記玄関ポーチ壁１２は、ボルト・ナット１３ａによって固定金具１３に固定されている。また、上記鉄骨梁２は、例えば、Ｈ形鋼からなり、その下フランジ２１に上記固定金具１３の上部がボルト・ナット１３ｂによって固定されている。
【００２０】
上記玄関ポーチ壁１２は、上記鉄骨梁２の真下に空間をおいて位置している。また、上記玄関ポーチ壁１２は、断面略コ字形状の４個の金属製材を四角枠状に連結してなるフレーム１２ａを備えており、このフレーム１２ａに上記ボルト・ナット１３ａが固定されている。また、上記玄関ポーチ壁１２は、上記ボルト・ナット１３ａが設けられる面側と反対の面側に設けられたグラスウールボード１２ｂと、このグラスウールボード１２ｂとの間に通気層１２ｃを形成して設けられた外壁面材１２ｄとを備えている。
【００２１】
上記天井板３を取り付けるための取付構造部５は、上記フレーム１２ａにおける上フレーム部の上面側（玄関ポーチ壁１２の上端面部）で支持されている。この取付構造部５は、上記天井板３が固定される天井下地材５１と、この天井下地材５１に連結され、当該天井下地材５１を上記玄関ポーチ壁１２の上記上端面部に固定する天井下地固定材５２と、上記玄関ポーチ壁１２の外壁面材１２ｄの上面上に位置し、上記天井下地材５１に固定される天井見切受け部材５３と、からなる。
【００２２】
上記天井下地材５１は、吊り木５１ａと野縁５１ｂとからなる。これら吊り木５１ａと野縁５１ｂとは相互に固定されている。
【００２３】
上記天井下地固定材５２は、図２にも示すように、例えば９１０ｍｍの長さに形成されており、水平に配置される水平板部５２ａと、この水平板部５２ａの一端側において所定間隔で立ち上げ形成された幅５０ｍｍ程度の立上部５２ｂと、上記立上部５２ｂの上部両側において折り曲げ形成された２枚の固定板部５２ｃとからなる。上記２枚の固定板部５２ｃの間隔は上記吊り木５１ａが入る幅とされる。
【００２４】
上記２枚の固定板部５２ｃには、それぞれ貫通孔５２ｄが形成されており、この貫通孔５２ｄからビス５０１を上記吊り木５１ａの側面に打ち込むことで、上記吊り木５１ａが上記固定板部５２ｃで支持される。また、上記水平板部５２ａの所定箇所には貫通長孔５２ｅが設けられている。この貫通長孔５２ｅから例えばボルト１４をねじ込むことにより、上記水平板部５２ａが上記フレーム１２ａにおける上フレーム部の上面側に固定される。なお、上記ボルト１４がねじ込まれる専用のナットが溶接等により上記上フレーム部に固定されていてもよいし、外壁吊り上げのフックボルト用に上記上フレーム部に既設されているナットに上記ボルト１４をねじ込むようにしてもよい。
【００２５】
上記天井見切受け部材５３は、上記外壁面材１２ｄの上側で上記天井見切６を受ける。また、上記天井見切受け部材５３は、図３にも示すように、例えば９１０ｍｍの長さに形成されており、水平に配置される第１水平板部５３ａと、この第１水平板部５３ａの一端側から立ち上がる立上部５３ｂと、上記立上部５３ｂの上端部において水平方向に折り曲げ形成された第２水平板部５３ｃと、上記第１水平板部５３ａの他端側から垂下する垂下片５３ｄとからなる。上記第２水平板部５３ｃには、貫通孔５３ｅが形成されている。また、上記第１水平板部５３ａの下面には、例えば、発泡ゴムからなるシール材５３ｆが貼付されている。
【００２６】
上記第１水平板部５３ａは、上記玄関ポーチ壁１２の外壁面材１２ｄの上面に位置する。上記シール材５３ｆは、上記第１水平板部５３ａの下面と上記外壁面材１２ｄの上面との間をシールする。上記第２水平板部５３ｃは、上記吊り木５１ａの下面側に位置し、上記貫通孔５３ｅから釘を上記吊り木５１ａの下面に打ち込むことで、上記吊り木５１ａに上記第２水平板部５３ｃが固定される。また、上記立上部５３ｂは、上記天井見切６を受ける受け面となる。また、上記垂下片５３ｄは上記通気層１２ｃに入り込み、上記グラスウールボード１２ｂの上端に接触する。
【００２７】
上記天井見切６は、上側部６１と、下側部６２と、これら面部を繋ぐ繋ぎ部６３とからなる。上記上側部６１は、上記野縁５１ｂの下面にビス等によって固定される。上記繋ぎ部６３は、上記天井見切受け部材５３の立上部５３ｂに当たるように設けられる。上記繋ぎ部６３と上記立上部５３ｂとの間には、例えば発泡ゴムからなるシール材を介在させている。また、上記上側部６１と上記下側部６２との間に上記天井板３の縁が差し込まれる。上記天井板３は、上記野縁５１ｂの下面にビス等によって固定される。
【００２８】
上記の構成であれば、上記天井板３を取り付けるための取付構造部５が上記玄関ポーチ壁１２で支持されるため、鉄骨梁２を用いた支持が不要であり、この鉄骨梁２の耐火被覆に欠損を生じ難くすることができる。また、上記取付構造部５が上記玄関ポーチ壁１２の上端面部に設けられているので、上記玄関ポーチ壁１２の上端よりも上方に上記天井板３を位置させることが容易になり、より高い天井を実現することができる。
【００２９】
上記取付構造部５が、上記天井下地材５１と、上記天井下地固定材５２と、上記天井見切受け部材５３とからなる構造であれば、上記天井見切６を上記玄関ポーチ壁１２の外壁面材１２ｄで受けるのではなく、上記天井見切受け部材５３で受けることができる。
【００３０】
上記玄関ポーチ壁１２のフレーム１２ａのフレーム部で上記取付構造部５が支持されていると、上記取付構造部５を上記外壁面材１２ｄで支持するよりも、より頑丈に上記フレーム１２ａによって天井板３を支持することができる。
【００３１】
上記天井見切受け部材５３に上記垂下片５３ｄが形成されていると、上記玄関ポーチ壁１２の内部の部材（例えば、グラスウールボード１２ｂ）を上記垂下片５３ｄによって押さえることが可能になる。また、上記垂下片５３ｄが上記玄関ポーチ壁１２の内部の部材に接することで、天井見切受け部材５３の位置決めが行えるとともに、上記天井見切６で押されても天井見切受け部材５３の位置がずれるのを防止することができる。
【００３２】
図４に他の実施形態の耐火天井構造を示す。この耐火天井構造では、上記天井板３を取り付けるための取付構造部７は、天井下地材７１と、この天井下地材７１を上記玄関ポーチ壁１２のフレーム１２ａの上部フレーム部の側面部に固定する天井下地固定材７２とからなる。すなわち、上記取付構造部７は、上記玄関ポーチ壁１２の上部の外壁面材１２ｄの無い側面部で支持される。
【００３３】
上記天井下地材７１は、吊り木７１ａと野縁７１ｂとからなる。これら吊り木７１ａと野縁７１ｂとは相互に固定されている。
【００３４】
上記天井下地固定材７２は、図５にも示すように、スペース形成部７２１と、下地固定部７２２とを有する。上記スペース形成部７２１は、板部７２１ａと、この板部７２１ａから突出形成された４個の先鋭突出部７２１ｂとからなり、この先鋭突出部７２１ｂを上記玄関ポーチ壁１２の上部フレームの側面部に接触させることで、上部フレームの側面部と上記板部７２１ａとの間にスペースが形成され、上記グラスウールボード１２ｂの潰れを回避している。上記板部７２１ａには貫通孔７２１ｃが形成されている。この貫通孔７２１ｃから挿通したドリルビス７３を上記玄関ポーチ壁１２の上部フレームの側面部にねじ込むことで、当該天井下地固定材７２が上記上部フレームの側面部で支持される。
【００３５】
上記スペース形成部７２１が上記上部フレームの側面部に固定された状態で上記下地固定部７２２が天井裏側に突出するようになっている。また、この状態で上記下地固定部７２２に形成されている２個の貫通孔７２２ａが縦に並ぶ。上記貫通孔７２２ａからビス等を上記吊り木７１ａの側面に打ち込むことで、上記吊り木７１ａが上記下地固定部７２２に固定される。
【００３６】
上記天井見切６の上側部６１は上記野縁７１ｂの下面にビス等によって固定される。上記繋ぎ部６３は上記玄関ポーチ壁１２の外壁面材１２ｄに当たるように設けられる。上記繋ぎ部６３と上記外壁面材１２ｄとの間には、例えば発泡ゴムからなるシール材を介在させている。また、上記上側部６１と上記下側部６２との間に、上記天井板３の縁が差し込まれる。上記天井板３は、ビス等によって上記野縁７１ｂの下面に固定される。
【００３７】
このように、上記取付構造部７が、上記玄関ポーチ壁１２の側面部に固定された構造でも、上記鉄骨梁２の耐火被覆に欠損を生じ難くすることができる。また、上記玄関ポーチ壁１２の上部の外壁面材１２ｄの無い側面部で上記取付構造部７が支持されるので、上記外壁面材１２ｄ自体に上記天井板３の支持荷重が加わるのを極力低減できることになる。また、上記玄関ポーチ壁１２のフレーム１２ａのフレーム部で上記取付構造部７が支持されると、上記外壁面材１２ｄで支持するよりも、より頑丈に上記フレーム１２ａによって天井板３を支持することができる。
【００３８】
なお、上記取付構造部７が上記外壁面材１２ｄの無い側面部で支持されるとは、上記取付構造部７が上記外壁面材１２ｄを介して支持されないことをいう。このような構造は、上記取付構造部７が上記フレーム１２ａによって支持される構造の他、例えば、上記フレーム１２ａに固定された下地板に上記取付構造部７をビス留め支持する構造などがある。
【００３９】
図６に他の実施形態の耐火天井構造を示す。この耐火天井構造では、上記天井板３を取り付けるための取付構造部８は、天井下地材８１と、この天井下地材８１を上記玄関ポーチ壁１２の上端面部で支持する天井下地固定材８２とからなる。上記天井下地材８１は、吊り木を備えず、野縁により構成されている。
【００４０】
上記天井下地固定材８２は、図７にも示すように、例えば９１０ｍｍの長さの本体部８２１の縁部に幅３０ｍｍ程度の係止部８２２が所定間隔で形成されてなる。この係止部８２２は、弾性を有するバネ鋼等からなり、上記玄関ポーチ壁１２に形成されている通気層１２ｃに上側から挿入されて係止される。
【００４１】
上記係止部８２２は、上記本体部８２１に固定される固定部８２２ａと、この固定部８２２ａから垂下される第１垂下部８２２ｂと、この第１垂下部８２２ｂの端側で水平に曲げられており、上記通気層１２ｃの厚さと略同じ長さを有する水平板部８２２ｃと、この水平板部８２２ｃから垂下される第２垂下部８２２ｄと、この第２垂下部８２２ｄの端側で斜めに曲げられており、水平長さが上記通気層１２ｃの厚さと略同じである斜め板部８２２ｅと、この斜め板部８２２ｅの端側で斜め上方に曲げられており、上記通気層１２ｃに挿入された装着状態では、上記グラスウールボード１２ｂに接触して鉛直に立ち上がることができる立ち上げ部８２２ｆと、この立ち上げ部８２２ｆの端側で曲げられており、上記装着状態では、水平に位置して上記固定部８２２ａ上に重なる重ね部８２２ｇと、からなる。
【００４２】
上記本体部８２１は、上記固定部８２２ａが固定される第１水平部８２１ａと、この第１水平部８２１ａの端側で鉛直に立ち上げられた第１鉛直部８２１ｂと、この第１鉛直部８２１ｂの端側で水平に曲げられた第２水平部８２１ｃと、この第２水平部８２１ｃの端側で鉛直に立ち上げられた第２鉛直部８２１ｄと、からなる。上記第１水平部８２１ａの下面には、例えば発泡ゴムからなるシール材８２１ｅが設けられている。このシール材８２１ｅは、上記第１水平部８２１ａの下面と上記外壁面材１２ｄの上面との間をシールする。
【００４３】
上記第１鉛直部８２１ｂには、上記天井見切６の上記繋ぎ部６３が当たる。上記繋ぎ部６３と上記第１鉛直部８２１ｂとの間には、例えば発泡ゴムからなるシール材を介在させている。上記第２水平部８２１ｃの下面側には、上記天井見切６の上記上側部６１がビス等によって固定される。上記第２鉛直部８２１ｄは、上記天井下地材８１にビス等によって固定される。上記天井下地材８１の下面には、ビス等によって天井板３が固定される。
【００４４】
このような構造であれば、上記玄関ポーチ壁１２の上側から上記天井下地固定材８２を押し込み、上記係止部８２２を上記通気層１２ｃに挿入することができる。そして、このような係止部８２２の上記通気層１２ｃへの挿入によって上記取付構造部８（上記天井下地固定材８２）が装着されるので、施工性を向上することができる。また、上記取付構造部８が上記玄関ポーチ壁１２の上端面部で支持されるので、上記玄関ポーチ壁１２の上端よりも上方に上記天井板３を位置させることが容易になり、より高い天井を実現することができる。
【００４５】
なお、上記係止部８２２の例えば第２垂下部８２２ｄに反し部（爪部）を形成しておき、上記係止部８２２の上方移動に対して、上記反し部が上記外壁面材１２ｄの裏面に引っ掛かるようにしておくと、上記係止部８２２の浮き上がりを防止することができる。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１        ：壁体
２        ：鉄骨梁
３        ：天井板
４        ：耐火材
５        ：取付構造部
６        ：天井見切
７        ：取付構造部
８        ：取付構造部
１１      ：外壁
１２      ：玄関ポーチ壁
１２ａ    ：フレーム
１２ｂ    ：グラスウールボード
１２ｃ    ：通気層
１２ｄ    ：外壁面材
１３      ：固定金具
１３ａ    ：ナット
１３ｂ    ：ナット
１４      ：ボルト
２１      ：下フランジ
５１      ：天井下地材
５１ａ    ：吊り木
５１ｂ    ：野縁
５２      ：天井下地固定材
５２ａ    ：水平板部
５２ｂ    ：立上部
５２ｃ    ：固定板部
５２ｄ    ：貫通孔
５２ｅ    ：貫通長孔
５３      ：天井見切受け部材
５３ａ    ：第１水平板部
５３ｂ    ：立上部
５３ｃ    ：第２水平板部
５３ｄ    ：垂下片
５３ｅ    ：貫通孔
５３ｆ    ：シール材
６１      ：上側部
６２      ：下側部
６３      ：繋ぎ部
７１      ：天井下地材
７１ａ    ：吊り木
７１ｂ    ：野縁
７２      ：天井下地固定材
７３      ：ドリルビス
８１      ：天井下地材
８２      ：天井下地固定材
５０１    ：ビス
７２１    ：スペース形成部
７２１ａ  ：板部
７２１ｂ  ：先鋭突出部
７２１ｃ  ：貫通孔
７２２    ：下地固定部
７２２ａ  ：貫通孔
８２１    ：本体部
８２１ａ  ：第１水平部
８２１ｂ  ：第１鉛直部
８２１ｃ  ：第２水平部
８２１ｄ  ：第２鉛直部
８２１ｅ  ：シール材
８２２    ：係止部
８２２ａ  ：固定部
８２２ｂ  ：第１垂下部
８２２ｃ  ：水平板部
８２２ｄ  ：第２垂下部
８２２ｅ  ：斜め板部
８２２ｆ  ：立ち上げ部
８２２ｇ  ：重ね部
【図１】
0006647861.tif 000002
【図２】
0006647861.tif 000003
【図３】
0006647861.tif 000004
【図４】
0006647861.tif 000005
【図５】
0006647861.tif 000006
【図６】
0006647861.tif 000007
【図７】
0006647861.tif 000008